(57)【要約】【課題】ウェイクアップ信号待ち受け時の省電力化を図りつつ、ウェイクアップ信号による不要な通信機能の起動を抑制可能な無線アクセスポイント（ＡＰ）を提供する。【解決手段】本無線ＡＰは、無線端末に登録させる少なくとも１つのダミー接続先識別子を生成するダミー識別子生成手段と、生成されたダミー接続先識別子を含む少なくとも１つの接続問い合わせ要求信号全体の信号長であるダミー総信号長に基づいて、ウェイクアップ信号長ｔｗを設定する信号長設定手段と、無線端末に対し、生成されたダミー接続先識別子を登録させるためにダミー接続先識別子を提示するダミー識別子提示手段と、受信された信号全体の信号長が、設定されたウェイクアップ信号長ｔｗと一致した際、送信元はダミー接続先識別子を登録した無線端末であるとして、ＬＡＮ側インタフェースにおける少なくとも受信信号処理機能を起動させるインタフェース制御手段とを有する。【選択図】図２
2014135638.tif 000002
【特許請求の範囲】
【請求項１】
無線端末が接続される無線ネットワークに接続可能な無線インタフェースを備えた無線アクセスポイントであって、
当該無線端末に登録させる少なくとも１つのダミー接続先識別子を生成するダミー識別子生成手段と、
生成された少なくとも１つの当該ダミー接続先識別子を含む少なくとも１つの接続問い合わせ要求信号全体の信号長であるダミー総信号長に基づいて、ウェイクアップ（Wake-up）信号長を設定する信号長設定手段と、
当該無線端末に対し、生成された少なくとも１つの当該ダミー接続先識別子を登録させるために当該ダミー接続先識別子を提示するダミー識別子提示手段と、
受信された信号全体の信号長が、設定された当該ウェイクアップ信号長と一致した際、送信元は少なくとも１つの当該ダミー接続先識別子を登録した無線端末であるとして、少なくとも受信信号処理機能を停止させられた前記無線インタフェースにおける少なくとも該受信信号処理機能を起動させるインタフェース制御手段と
を有することを特徴とする無線アクセスポイント。
【請求項２】
当該無線端末から予め受信した接続問い合わせ要求信号における接続先識別子分を除く信号長を取得する固定長取得手段を更に有しており、
前記信号長設定手段は、取得された接続先識別子分を除く当該信号長と、生成された当該ダミー接続先識別子とに基づいて、少なくとも１つの当該接続問い合わせ要求信号全体のダミー総信号長を算出し、該ダミー総信号長と、接続に際して当該無線端末から本来送信される接続問い合わせ要求信号の信号長とを含む長さをウェイクアップ信号長として設定する
ことを特徴とする請求項１に記載の無線アクセスポイント。
【請求項３】
前記無線インタフェースに対し、当該ダミー接続先識別子を含む標識信号を送信させて当該ダミー接続先識別子毎に当該無線端末との間で通信接続を行わせることにより、当該無線端末に当該ダミー接続先識別子を登録させるダミー識別子登録手段
を更に有することを特徴とする請求項１又は２に記載の無線アクセスポイント。
【請求項４】
前記ダミー識別子提示手段は、当該無線端末に搭載されたウェブブラウザ（Web browser）に対し、生成された少なくとも１つの当該ダミー接続先識別子の情報をウェブページ（Web page）上に提示する
ことを特徴とする請求項１から３のいずれか１項に記載の無線アクセスポイント。
【請求項５】
当該無線端末との接続に必要な情報を表示可能な表示部を更に備えており、
前記ダミー識別子提示手段は、前記表示部に、生成された少なくとも１つの当該ダミー接続先識別子の情報を表示させる
ことを特徴とする請求項１から４のいずれか１項に記載の無線アクセスポイント。
【請求項６】
少なくとも１つの当該接続問い合わせ要求信号全体を含む信号を受信可能な無線ネットワーク信号受信部を更に備えており、
前記インタフェース制御手段は、前記無線ネットワーク信号受信部によって受信された信号全体の信号長が、設定された当該ウェイクアップ信号長と一致した際、停止させられた前記無線インタフェースを起動させる
ことを特徴とする請求項１から５のいずれか１項に記載の無線アクセスポイント。
【請求項７】
当該無線端末から予め受信した接続問い合わせ要求信号における接続先識別子分を除く信号長を取得する固定長取得手段を更に有しており、
前記ダミー識別子生成手段は、ランダムに選択された１つの自然数αに対し、接続問い合わせ要求信号の数と、各接続問い合わせ要求信号に含まれるダミー接続先識別子の桁数とを一意に決定し、その際、取得された接続先識別子分を除く当該信号長と、当該接続問い合わせ要求信号の数が２以上である場合に当該接続問い合わせ要求信号の間隔とを考慮して、少なくとも１つの当該接続問い合わせ要求信号全体のダミー総信号長を算出する
ことを特徴とする請求項１から６のいずれか１項に記載の無線アクセスポイント。
【請求項８】
無線端末が接続される無線ネットワークに接続可能な無線インタフェースを備えた無線アクセスポイントに搭載されたコンピュータを機能させる無線通信起動プログラムであって、
当該無線端末に登録させる少なくとも１つのダミー接続先識別子を生成するダミー識別子生成手段と、
生成された少なくとも１つの当該ダミー接続先識別子を含む少なくとも１つの接続問い合わせ要求信号全体の信号長であるダミー総信号長に基づいて、ウェイクアップ信号長を設定する信号長設定手段と、
当該無線端末に対し、生成された少なくとも１つの当該ダミー接続先識別子を登録させるために当該ダミー接続先識別子を提示するダミー識別子提示手段と、
受信された信号全体の信号長が、設定された当該ウェイクアップ信号長と一致した際、送信元は少なくとも１つの当該ダミー接続先識別子を登録した無線端末であるとして、少なくとも受信信号処理機能を停止させられた前記無線インタフェースにおける少なくとも該受信信号処理機能を起動させるインタフェース制御手段と
してコンピュータを機能させることを特徴とする無線通信起動プログラム。
【請求項９】
無線端末が接続される無線ネットワークに接続可能な無線アクセスポイントの無線インタフェースを起動させる無線通信起動方法であって、
当該無線端末に登録させる少なくとも１つのダミー接続先識別子を生成する第１のステップと、
生成された少なくとも１つの当該ダミー接続先識別子を含む少なくとも１つの接続問い合わせ要求信号全体の信号長であるダミー総信号長に基づいて、ウェイクアップ信号長を設定する第２のステップと、
当該無線端末に対し、生成された少なくとも１つの当該ダミー接続先識別子を登録させるために当該ダミー接続先識別子を提示する第３のステップと、
受信された信号全体の信号長が、設定された当該ウェイクアップ信号長と一致した際、送信元は少なくとも１つの当該ダミー接続先識別子を登録した無線端末であるとして、少なくとも受信信号処理機能を停止させられた前記無線インタフェースにおける少なくとも該受信信号処理機能を起動させる第４のステップと
を有することを特徴とする無線通信起動方法。
【発明の詳細な説明】
【技術分野】
【０００１】
本発明は、通信機器のウェイクアップ機能に係る技術に関する。
【背景技術】
【０００２】
近年、スマートフォン、タブレット型コンピュータ、パーソナルコンピュータ（ＰＣ）といったユーザインタフェース装置の多くは、Ｗｉ−Ｆｉ（登録商標）等の無線ＬＡＮ（Local Area Network）を介して、種々の情報・サービスを取得又は提供可能になっている。特に、現在、モバイルルータや、テザリング（tethering）機能を備えたスマートフォン等が広く普及しており、生活の様々な場面においてインターネットを利用する際にも無線ＬＡＮが頻繁に使用されている。
【０００３】
無線ＬＡＮを構築する通信機器は、通常、いつ何時でも情報・サービスをユーザに提供し得るように受信待機状態をとる。ここで、受信待機電力は現状相当に大きく、このことが、特に電池駆動の通信機器における電池持続時間を押し下げる原因となっている。
【０００４】
この問題に対処する省電力化技術として、例えば、特許文献１には、無線通信端末からのプローブ要求（probe request）を無線ＬＡＮを介して受信することによって、省電力モードから復帰する中継装置が開示されている。ここで、予め省電力モードを作動させておくことにより、受信待機状態での消費電力低減を図っている。
【０００５】
また、特許文献２には、ウェイクアップ電波検知部を備え、無線アクセスポイント（ＡＰ）からのウェイクアップ電波を受信することによって自らのスリープ状態を解除する無線ＬＡＮ端末が開示されている。さらに、非特許文献１には、スリープ中のＡＰに対し、無線ＬＡＮ信号のフレーム長を利用したウェイクアップ信号を送信し、所望のＡＰのみを起動させる技術が開示されている。
【先行技術文献】
【特許文献】
【０００６】
【特許文献１】特開２０１２−３４１７９号公報
【特許文献２】特開２０１１−４０９８８号公報
【非特許文献】
【０００７】
【非特許文献１】近藤良久、四方博之、湯素華、岩井優仁、田中利康、筒井英夫、小花貞夫、「無線ＬＡＮ信号を用いたオンデマンドウェイクアップ方式」、電子情報通信学会技術研究報告、Vol．110、No．448、NS2010-185、123-128ページ、2011年
【発明の概要】
【発明が解決しようとする課題】
【０００８】
しかしながら、上述したような従来のウェイクアップ技術を無線ＬＡＮのＡＰに適用したとしても、ＡＰの省電力化を十分に達成しようとすると、ウェイクアップ信号によるＡＰの誤起動の問題が生じてしまう。
【０００９】
例えば、特許文献１のウェイクアップ技術では、受信するＡＰ側において、プローブ要求に含まれるＳＳＩＤやセキュリティコードといった受信データを識別する信号処理を実行せねばならない。このため、ウェイクアップ信号待ち受け時の消費電力は相当に大きくなってしまう。
【００１０】
一方、非特許文献１のウェイクアップ技術を適用し、ＡＰが受信するウェイクアップ信号のフレーム長をＡＰのスリープ解除要件とすると、確かに、受信信号処理の必要がないので、待ち受け時の消費電力を低減し得る。しかしながら、この場合、スリープ解除条件として設定された所定のフレーム長と同一のフレーム長を有する信号ならば、ＡＰを起動させてしまう。
【００１１】
特に、現在、様々な無線ＬＡＮ環境において、ＡＰと接続可能な無線端末の数が急増している。このような状況下では、同一のフレーム長を有する信号が飛び交うことは十分に想定されるため、単にフレーム長をスリープ解除の要件とすると、本来起動する必要のないＡＰが起動してしまう問題が相当深刻になり得る。
【００１２】
また、特許文献２の技術のように、ウェイクアップ信号を、無線ＬＡＮとは異なる特定の小電力無線通信方式による電波とすることも可能であるが、この場合、送受信側双方に、ウェイクアップ信号用のハードウェアが必要となってしまう。
【００１３】
そこで、本発明は、ウェイクアップ信号待ち受け時の省電力化を図りつつ、ウェイクアップ信号による不要な通信機能の起動を抑制可能な無線ＡＰ、無線通信起動プログラム及び無線通信起動方法を提供することを目的とする。
【課題を解決するための手段】
【００１４】
本発明によれば、無線端末が接続される無線ネットワークに接続可能な無線インタフェースを備えた無線アクセスポイント（ＡＰ）であって、
無線端末に登録させる少なくとも１つのダミー接続先識別子を生成するダミー識別子生成手段と、
生成された少なくとも１つのダミー接続先識別子を含む少なくとも１つの接続問い合わせ要求信号全体の信号長であるダミー総信号長に基づいて、ウェイクアップ（Wake-up）信号長を設定する信号長設定手段と、
無線端末に対し、生成された少なくとも１つのダミー接続先識別子を登録させるためにダミー接続先識別子を提示するダミー識別子提示手段と、
受信された信号全体の信号長が、設定されたウェイクアップ信号長と一致した際、送信元は少なくとも１つのダミー接続先識別子を登録した無線端末であるとして、少なくとも受信信号処理機能を停止させられた無線インタフェースにおける少なくとも受信信号処理機能を起動させるインタフェース制御手段と
を有する無線ＡＰが提供される。
【００１５】
この本発明による無線ＡＰの一実施形態として、無線ＡＰが、無線端末から予め受信した接続問い合わせ要求信号における接続先識別子分を除く信号長を取得する固定長取得手段を更に有しており、
信号長設定手段は、取得された接続先識別子分を除く信号長と、生成されたダミー接続先識別子とに基づいて、少なくとも１つの接続問い合わせ要求信号全体のダミー総信号長を算出し、このダミー総信号長と、接続に際して無線端末から本来送信される接続問い合わせ要求信号の信号長とを含む長さをウェイクアップ信号長として設定することも好ましい。
【００１６】
また、本発明による無線ＡＰの他の実施形態として、無線インタフェースに対し、ダミー接続先識別子を含む標識信号を送信させてダミー接続先識別子毎に無線端末との間で通信接続を行わせることにより、無線端末にダミー接続先識別子を登録させるダミー識別子登録手段を更に有することも好ましい。
【００１７】
さらに、本発明の無線ＡＰにおけるダミー識別子提示手段は、無線端末に搭載されたウェブブラウザ（Web browser）に対し、生成された少なくとも１つのダミー接続先識別子の情報をウェブページ（Web page）上に提示することも好ましい。
【００１８】
また、本発明による無線ＡＰの他の実施形態として、無線ＡＰが、無線端末との接続に必要な情報を表示可能な表示部を更に備えており、
ダミー識別子提示手段は、表示部に、生成された少なくとも１つのダミー接続先識別子の情報を表示させることも好ましい。
【００１９】
さらに、本発明による無線ＡＰの他の実施形態として、無線ＡＰが、少なくとも１つの接続問い合わせ要求信号全体を含む信号を受信可能な無線ネットワーク信号受信部を更に備えており、
インタフェース制御手段は、無線ネットワーク信号受信部によって受信された信号全体の信号長が、設定されたウェイクアップ信号長と一致した際、停止させられた無線インタフェースを起動させることも好ましい。
【００２０】
また、本発明による無線ＡＰの他の実施形態として、無線ＡＰが、無線端末から予め受信した接続問い合わせ要求信号における接続先識別子分を除く信号長を取得する固定長取得手段を更に有しており、
ダミー識別子生成手段は、ランダムに選択された１つの自然数αに対し、接続問い合わせ要求信号の数と、各接続問い合わせ要求信号に含まれるダミー接続先識別子の桁数とを一意に決定し、その際、取得された接続先識別子分を除く信号長と、接続問い合わせ要求信号の数が２以上である場合に接続問い合わせ要求信号の間隔とを考慮して、少なくとも１つの接続問い合わせ要求信号全体のダミー総信号長を算出することも好ましい。
【００２１】
本発明によれば、さらに、無線端末が接続される無線ネットワークに接続可能な無線インタフェースを備えた無線ＡＰに搭載されたコンピュータを機能させる無線通信起動プログラムであって、
無線端末に登録させる少なくとも１つのダミー接続先識別子を生成するダミー識別子生成手段と、
生成された少なくとも１つのダミー接続先識別子を含む少なくとも１つの接続問い合わせ要求信号全体の信号長であるダミー総信号長に基づいて、ウェイクアップ信号長を設定する信号長設定手段と、
無線端末に対し、生成された少なくとも１つのダミー接続先識別子を登録させるためにダミー接続先識別子を提示するダミー識別子提示手段と、
受信された信号全体の信号長が、設定されたウェイクアップ信号長と一致した際、送信元は少なくとも１つのダミー接続先識別子を登録した無線端末であるとして、少なくとも受信信号処理機能を停止させられた無線インタフェースにおける少なくとも受信信号処理機能を起動させるインタフェース制御手段と
してコンピュータを機能させる無線通信起動プログラムが提供される。
【００２２】
本発明によれば、さらにまた、無線端末が接続される無線ネットワークに接続可能な無線ＡＰの無線インタフェースを起動させる無線通信起動方法であって、
無線端末に登録させる少なくとも１つのダミー接続先識別子を生成する第１のステップと、
生成された少なくとも１つのダミー接続先識別子を含む少なくとも１つの接続問い合わせ要求信号全体の信号長であるダミー総信号長に基づいて、ウェイクアップ信号長を設定する第２のステップと、
無線端末に対し、生成された少なくとも１つのダミー接続先識別子を登録させるためにダミー接続先識別子を提示する第３のステップと、
受信された信号全体の信号長が、設定されたウェイクアップ信号長と一致した際、送信元は少なくとも１つのダミー接続先識別子を登録した無線端末であるとして、少なくとも受信信号処理機能を停止させられた無線インタフェースにおける少なくとも受信信号処理機能を起動させる第４のステップと
を有する無線通信起動方法が提供される。
【発明の効果】
【００２３】
本発明の無線ＡＰ、無線通信起動プログラム及び無線通信起動方法によれば、ウェイクアップ信号待ち受け時のＡＰの省電力化を図りつつ、ウェイクアップ信号による不要な通信機能の起動を抑制することができる。
【図面の簡単な説明】
【００２４】
【図１】本発明による無線アクセスポイントを用いた無線ネットワークシステムの構成図、及びウェイクアップ信号による起動を説明するための概略図である。
【図２】スマートフォン１の一実施形態を示す機能構成図である。
【図３】本発明の無線通信起動方法における、ダミー接続先識別子を無線端末に登録させる部分の一実施形態を示すシーケンス図である。
【図４】ダミーＳＳＩＤを利用したウェイクアップ信号（プローブ要求群）の一実施形態を示す概略図である。
【図５】本発明に係るダミーＳＳＩＤの生成方法、及びダミープローブ要求のダミー総フレーム長の算出・設定方法の一実施形態を示すフローチャートである。
【図６】本発明による無線通信起動方法の一実施形態を実施した場合におけるウェイクアップ誤作動率の算出例を示すグラフである。
【発明を実施するための形態】
【００２５】
以下、本発明の実施形態について、図面を用いて詳細に説明する。
【００２６】
図１は、本発明による無線アクセスポイントを用いた無線ネットワークシステムの構成図、及びウェイクアップ信号による起動を説明するための概略図である。
【００２７】
図１（Ａ）によれば、本発明による無線アクセスポイント（ＡＰ）としてのスマートフォン１は、無線ネットワーク３に接続可能な「無線インタフェース」を備えており、無線ネットワーク３に接続される無線端末２との通信接続を可能にする。ここで、無線ネットワーク３は、無線ＬＡＮ(Local Area Network)とすることができる。さらに、スマートフォン１は、アクセスネットワーク４を介してインターネット５と接続可能であり、無線端末２とインターネット５との間の通信の中継、いわゆるテザリング（tethering）、を行うことができる。
【００２８】
アクセスネットワーク４は、例えば、Ｗｉ−Ｆｉ（登録商標）等の無線ＬＡＮ、ＷｉＭＡＸ(Worldwide Interoperability for Microwave Access)、ＬＴＥ(Long Term Evolution)、又は３Ｇ(3rd Generation)といった、無線通信事業者ネットワークであり、ゲートウェイを介して、インターネット５に相互接続される。また、無線端末２は、スマートフォン、タブレット型コンピュータ、又はパーソナルコンピュータ（ＰＣ）といったユーザインタフェース装置とすることができる。
【００２９】
尚、本発明による無線ＡＰは、当然に、テザリング機能を備えたスマートフォン１に限定されるものではなく、例えば、同じく図１（Ａ）に示したモバイルルータ１’であってもよい。このモバイルルータ１’も、無線端末２が接続される無線ネットワーク３に接続可能な「無線インタフェース」を備えている。
【００３０】
ここで、以上に述べた無線ＡＰでは、無線ネットワーク通信機能の不使用時又は使用終了時等において、搭載する「無線インタフェース」における少なくとも受信信号処理機能を停止させている。これにより、省電力化が実現され、特に、スマートフォン１のように電池駆動の無線通信機器の場合、電池持続時間が向上する。
【００３１】
この無線ＡＰは、次いで、無線端末２から、「少なくとも１つの接続問い合わせ要求信号」を含むウェイクアップ信号を受信する。このウェイクアップ信号は、
（ａ）無線ＡＰが生成した「少なくとも１つのダミー接続先識別子」を含み、
（ｂ）「ウェイクアップ（Wake-up）信号長」ｔｗとして予め無線ＡＰによって設定された信号長（総フレーム長）を有する。
【００３２】
本発明による無線ＡＰは、この「ウェイクアップ信号長」ｔｗを有する信号を受信した際、送信元は「少なくとも１つのダミー接続先識別子」を登録した無線端末であるとして、「無線インタフェース」における少なくとも受信信号処理機能を起動させるのである。
【００３３】
このように、本発明による無線ＡＰでは、ウェイクアップ信号待ち受け時において、受信信号の信号長のみを検知すればよく、受信信号に含まれるデータを処理する必要がない。その結果、「無線インタフェース」における少なくとも受信信号処理機能を停止させた状態でも、ウェイクアップ信号を待ち受け可能となる。これにより、ＡＰの省電力化が実現される。
【００３４】
また、「無線インタフェース」における少なくとも受信信号処理機能を起動させるウェイクアップ信号は、無線ＡＰが生成した「少なくとも１つのダミー接続先識別子」を含む。ここで、各「ダミー接続先識別子」の長さ（桁数）は、無線ＡＰにおいて所定の範囲内で任意に設定可能である。その結果、このウェイクアップ信号の信号長である「ウェイクアップ信号長」ｔｗは、非常に多くの値をとり得る。これにより、無線ＡＰのウェイクアップ信号待ち受け状態において、待ち受けている信号長と同一の信号長を有しているがこの無線ＡＰとの通信接続を要求するものではない信号によって、誤って無線ＡＰを起動させてしまう確率を十分に小さくすることができる。また、それ故に、ウェイクアップ信号による不要な通信機能の起動が十分に抑制可能となる。
【００３５】
以下、具体的に、本発明の無線ＡＰの一実施形態における作用効果を、比較例を用いて説明する。ここで、本発明の無線ＡＰとして上述したスマートフォン１を採用し、「ダミー接続先識別子」として、ＩＥＥＥ８０２．１１シリーズに準拠した無線ＬＡＮにおける識別子であるＳＳＩＤ（Service Set Identifier）を用い、ウェイクアップ信号を構成する「接続問い合わせ要求信号」を、プローブ要求（probe request）とする。
【００３６】
最初に、比較例として、図１（Ｂ）に、無線端末２からウェイクアップ信号としてのプローブ要求を送信して、モバイルルータの無線ＬＡＮ通信部を起動させる様子を示す。
【００３７】
図１（Ｂ）によれば、モバイルルータのウェイクアップ信号受信部は、無線ＬＡＮ通信部のＳＳＩＤであるSSID_Aを含むプローブ要求と、ワイルドカードＳＳＩＤとしてのanyを含むプローブ要求とにおける総フレーム長ｔ１の信号を、待ち受けている。これに対し、無線端末２は、このモバイルルータ以外のモバイルルータとの通信接続を所望しており、SSID_Aとは異なるSSID_Bを含むプローブ要求を発信する。
【００３８】
しかしながら、SSID_Aの桁数（バイト（byte）数）とSSID_Bの桁数とが意図せず一致する場合、SSID_Bを含むプローブ要求とanyを含むプローブ要求とにおける総フレーム長は、同一機種の無線端末から発信される、SSID_Aを含むプローブ要求とanyを含むプローブ要求とにおける総フレーム長ｔ１に等しくなってしまう。尚、SSID_Aの桁数とSSID_Bの桁数とが異なっていても、その差異がプローブ要求の他の機種依存部分の差異と相殺し、結局SSID_Bを含む信号の総フレーム長が、総フレーム長ｔ１に等しくなってしまう場合も生じ得る。
【００３９】
その結果、モバイルルータのウェイクアップ信号受信部は、本来他のモバイルルータとの通信接続を要求するSSID_Bを含む信号を受信した際でも、SSID_Aのプローブ要求を含むウェイクアップ信号を受信したとして、誤って無線ＬＡＮ通信部を起動させてしまう。
【００４０】
ここで、ＳＳＩＤの桁数は、２byteから３２byteまでの値をとり得る。しかしながら、例えば、ウェイクアップ信号の受信部（検波部）におけるフレーム長の解像度が４０μsec（マイクロ秒）であって伝送レートが１Ｍbps（bits per second）であるとすると、
５byte（＝１Ｍbps×４０μsec／（８bits／byte））
以上ＳＳＩＤの桁数を変更させなければ、受信部は、このフレーム長の違いを識別できない。従って、ウェイクアップ信号受信部がプローブ要求の総フレーム長を識別する際、ＳＳＩＤの桁数の違いから生じるフレーム長差の識別可能なパターン数は、数個のレベルに限定される。ましてや、同一機種の無線端末から、互いに異なってはいるが桁数が同一のＳＳＩＤを含むプローブ要求が発信される場合、フレーム長だけから正しいＳＳＩＤのプローブ要求を識別することは不可能である。
【００４１】
これに対し、図１（Ｃ）に示したように、スマートフォン１のウェイクアップ信号受信機能では、
（ａ）スマートフォン１側で生成された少なくとも１つのダミーＳＳＩＤを含む少なくとも１つのダミープローブ要求と、
（ｂ）スマートフォン１の無線インタフェースのＳＳＩＤであるSSID_Aを含むプローブ要求と、
（ｃ）ワイルドカードＳＳＩＤとしてのanyを含むプローブ要求と
を含む信号を、ウェイクアップ信号として待ち受ける。この際、この信号の総フレーム長であるウェイクアップ信号長ｔｗを予め算出・設定しておき、受信信号の信号長と信号長ｔｗとを比較できるようにしておく。ここで、総フレーム長がこのウェイクアップ信号長ｔｗと一致するフレーム群を受信した際、スマートフォン１のインタフェース制御部が、無線インタフェースにおける少なくとも受信信号処理機能を起動させる。
【００４２】
ここで、スマートフォン１側でダミーＳＳＩＤ（ダミープローブ要求）の数及び各ダミーＳＳＩＤの桁数を所定の範囲内で任意に設定することができるので、上記（ａ）の「少なくとも１つのダミーＳＳＩＤを含む少なくとも１つのプローブ要求」の総フレーム長は、非常に多くの値に設定可能となる。これにより、意図せず同一の総フレーム長を有しているがスマートフォン１との通信接続を要求するものではない信号によって、図１（Ｂ）に示したような誤起動が生じてしまう可能性を十分に抑制することができる。
【００４３】
例えば、図１（Ｄ）に示すように、SSID_Aを有するスマートフォン１において、図１（Ｂ）のような総フレーム長ｔ１のプローブ要求フレーム群を受信したとしても、無線インタフェースが誤起動する可能性は十分に低い。即ち、スマートフォン１のウェイクアップ信号受信機能は、ダミーＳＳＩＤ設定の幅広いバラエティの中から決定されたウェイクアップ信号長ｔｗをもって、ウェイクアップ信号の待ち受けをしている。従って、ウェイクアップ信号長ｔｗが偶然に総フレーム長ｔ１と一致してしまう確率を、ゼロにまで又は十分に小さな値にまで低減することができるのである。尚、図１（Ｄ）に示したような通常のプローブ要求フレーム群による誤起動の確率は、ダミーＳＳＩＤを含むプローブ要求の数を十分に大きくして両者の総フレーム長が全く一致しないようにすることによって、ゼロとすることができる。
【００４４】
図２は、スマートフォン１の一実施形態を示す機能構成図である。
【００４５】
図２（Ａ）によれば、スマートフォン１は、ＬＡＮ側インタフェース１００と、ＷＡＮ（Wide Area Network）側インタフェース１０１と、プロセッサ・メモリとを備えている。また、表示部１０２を備えていることも好ましい。ここで、プロセッサ・メモリは、スマートフォン１に搭載されたコンピュータを機能させるプログラムを実行することによって、その機能を実現させる。
【００４６】
さらに、プロセッサ・メモリは、機能構成部として、固定長取得部１１０と、ダミー識別子生成部１１１と、ダミー識別子提示・登録部１１２と、ウェイクアップ信号長設定部１１３と、インタフェース制御部１１４と、通信制御部１２０とを有する。
【００４７】
ＬＡＮ側インタフェース１００は、無線端末２が接続される無線ネットワーク３に接続可能な無線インタフェースである。ＬＡＮ側インタフェース１００は、受信信号の信号長（フレーム長）を検知可能な検波部１００ａと、受信信号に含まれるデータを識別し処理する受信信号処理部１００ｂと、無線ＬＡＮ信号を送信する送信部１００ｃとを有する。
【００４８】
このうち、受信信号処理部１００ｂは、不使用時又は使用終了時等に停止させられ、この際、具体的には受信信号処理部１００ｂの電力供給部がＯＦＦにされる。また、受信信号処理部１００ｂと同様に送信部１００ｃも合わせて停止させられることも好ましい。これらの停止は、例えば、無通信監視タイマによって実行されてもよい。無通信監視タイマは、例えば、ＬＡＮ側インタフェース１００を介したインターネット５へのアクセスのためのデータが送受信されているか否かをモニタし、そのようなデータのやり取りの無い状態が一定時間以上続いた場合、受信信号処理部１００ｂ（及び送信部１００ｃ）を停止させる。また、ユーザによる所定の操作、例えば表示部１０２に表示された無線ＬＡＮ通信停止アイコンに対するタッチ操作、によって受信信号処理部１００ｂ（及び送信部１００ｃ）が停止させられることも可能である。
【００４９】
一方、検波部１００ａは、受信信号処理部１００ｂの停止時にも、ウェイクアップ信号を受信すべく起動している。
【００５０】
ＷＡＮ側インタフェース１０１は、アクセスネットワーク４を介してインターネット５と接続可能な無線通信部である。無線端末２は、無線ネットワーク３に接続されたＬＡＮ側インタフェース１００と通信制御部１２０とを介し、更にこのＷＡＮ側インタフェース１０１を介して、アクセスネットワーク４、更にはインターネット５に接続する。
【００５１】
表示部１０２は、例えばディスプレイであり、無線端末２との通信接続に必要な情報を表示することができる。例えば、ダミー識別子提示・登録部１１２による指示を受けて、後述する生成されたダミーＳＳＩＤを表示させる。
【００５２】
固定長取得部１１０は、ダミーＳＳＩＤを含むダミープローブ要求を生成するに先立ち、この生成に必要となる信号長であって、無線端末２から予め受信したプローブ要求におけるＳＳＩＤ分を除く信号長を、無線端末２のＭＡＣ（Media Access Control）アドレスと対応付けられた固定長ｗとして取得し、記憶する。また、この固定長ｗをダミー識別子生成部１１１に出力する。
【００５３】
ダミー識別子生成部１１１は、無線端末２に登録させる少なくとも１つのダミーＳＳＩＤを生成し、さらに、生成されたダミーＳＳＩＤを含む少なくとも１つのダミープローブ要求を生成し、その際、設置されたダミー信号長算出部によって、生成されたダミープローブ要求フレーム全体の信号長であるダミー総フレーム長ＬMfを算出する。また、生成したダミーＳＳＩＤをダミー識別子提示・登録部１１２に出力し、また、算出されたダミー総フレーム長ＬMfをウェイクアップ信号長設定部１１３に出力する。
【００５４】
具体的に、このダミー識別子生成部１１１は、後に図５を用いて説明するように、ランダムに選択された１つの自然数αに対し、ダミープローブ要求の数と、各ダミープローブ要求に含まれるダミーＳＳＩＤの桁数とを一意に決定する。また、その際、固定長取得部１１０によって取得された固定長（ＳＳＩＤ分を除く信号長）ｗと、ダミープローブ要求の数が２以上である場合にダミープローブ要求の間隔とを考慮して、少なくとも１つのダミープローブ要求全体のダミー総フレーム長ＬMfを算出することも好ましい。
【００５５】
ダミー識別子提示・登録部１１２は、無線端末２に対し、生成されたダミーＳＳＩＤを登録させるためにダミーＳＳＩＤを提示する。また、ＬＡＮ側インタフェース１００に対し、ダミーＳＳＩＤを含むビーコン（標識信号）を送信させて、ダミーＳＳＩＤ毎に無線端末２との間で通信接続を行わせることによって、無線端末２にダミーＳＳＩＤを登録させる。
【００５６】
ここで、ダミー識別子提示・登録部１１２によるダミーＳＳＩＤの提示としては、
（ａ）無線端末２に搭載されたウェブブラウザ（Web browser）に対し、生成されたダミーＳＳＩＤの情報をウェブページ（Web page）上に提示することも好ましく、
（ｂ）表示部１０２に生成されたダミーＳＳＩＤを出力して、生成されたダミーＳＳＩＤの情報を表示させることも好ましい。
【００５７】
上記（ａ）の形態では、ダミー識別子提示・登録部１１２に設けられたＨＴＴＰ（HyperText Transfer Protocol）サーバ部が、ＬＡＮ側インタフェース１００を介して、ダミーＳＳＩＤ情報を無線端末２のウェブブラウザに表示させ、その登録をユーザに促してもよい。ユーザは、この表示されたダミーＳＳＩＤ情報を確認した上で、登録を行うことができる。
【００５８】
また、上記（ｂ）の形態では、ユーザは、スマートフォン１の表示部１０２に表示されたダミーＳＳＩＤの情報を視認した上で、その情報をもって無線端末２に入力することができる。これは、例えば、無線端末２のユーザがスマートフォン１を用いたテザリングにおけるウェイクアップの設定を行う際、スマートフォン１のディスプレイ（表示部１０２）の表示内容を見ながら無線端末２にダミーＳＳＩＤを登録する場合に相当する。
【００５９】
ウェイクアップ信号長設定部１１３は、ダミー識別子生成部１１１から入力した、少なくとも１つのダミーＳＳＩＤを含む少なくとも１つのプローブ要求全体の信号長であるダミー総フレーム長ＬMfに基づいて、ウェイクアップ信号長ｔｗを設定する。
【００６０】
具体的に、ウェイクアップ信号長設定部１１３は、
（ａ）固定長取得部１１０によって取得された無線端末２からのプローブ要求における固定長ｗと、
（ｂ）生成されたダミーＳＳＩＤと
に基づいて少なくとも１つのプローブ要求フレーム全体のダミー総フレーム長ＬMfを算出し、
（ｃ）このダミー総フレーム長ＬMfと、
（ｄ）接続に際して無線端末２から本来送信されるプローブ要求のフレーム長と
を含む長さをウェイクアップ信号長ｔｗとして設定することも好ましい。
【００６１】
インタフェース制御部１１４は、信号長判定部を有しており、この信号長判定部によって、受信された信号全体の信号長（総フレーム長）が、設定されたウェイクアップ信号長ｔｗと一致するか否かを判定する。ここで、真の判定（一致するとの判定）を行った際、送信元は少なくとも１つのダミーＳＳＩＤを登録した無線端末２であるとして、ＬＡＮ側インタフェース１００における受信信号処理部１００ｂ（及び送信部１００ｃ）を起動させる。
【００６２】
通信制御部１２０は、無線ネットワーク３を介した無線端末２との通信、アクセスネットワーク４を介したインターネット５との通信、及び無線端末２のアクセスネットワーク４を介したインターネット５との通信を実行させ制御する。
【００６３】
図２（Ｂ）に、少なくとも１つのプローブ要求を含む信号であるウェイクアップ信号を受信可能な無線ＬＡＮ信号受信部１０３を使用した実施形態を示す。無線ＬＡＮ信号受信部１０３は、ＬＡＮ側インタフェース１００’からは独立した無線ネットワーク受信部であって、検波機能（物理的な信号長を測定する機能）を有している。また、ＬＡＮ側インタフェース１００’の停止時にも、ウェイクアップ信号を受信すべく起動しているが、ＬＡＮ側インタフェース１００’よりも小さい電力消費量を示す。
【００６４】
一方、ＬＡＮ側インタフェース１００’は、検波部１００ａ’及び受信信号処理部１００ｂ’を有しているが、両部ともに、不使用時又は使用終了時等に停止させられている。また、ＬＡＮ側インタフェース１００’は送信部１００ｃ’も有しているが、この送信部１００ｃ’も、検波部１００ａ’及び受信信号処理部１００ｂ’に合わせて停止させられることも好ましい。これらの停止の際、具体的には、ＬＡＮ側インタフェース１００’の電力供給部がＯＦＦにされる。この停止は、例えば、無通信監視タイマによって実行されてもよく、ユーザによる所定の操作、例えば表示部１０２に表示された無線ＬＡＮ通信停止アイコンに対するタッチ操作、によって実行されてもよい。
【００６５】
インタフェース制御部１１４は、その信号長判定部によって、無線ＬＡＮ信号受信部１０３で受信された信号全体の信号長（総フレーム長）が、設定されたウェイクアップ信号長ｔｗと一致するか否かを判定する。ここで、真の判定（一致するとの判定）を行った際、送信元は少なくとも１つのダミーＳＳＩＤを登録した無線端末２であるとして、ＬＡＮ側インタフェース１００’を起動させる。
【００６６】
以上、図２（Ａ）及び（Ｂ）を用いて説明したように、ウェイクアップ対象であるＬＡＮ側インタフェースの一部（検波機能）を用いてウェイクアップ信号を受信することもでき、ＬＡＮ側インタフェースとは別にウェイクアップ受信機能を設けることも可能である。ここで、前者の場合、
（ａ）検波部１００ａと、個別に起動可能な（独立した電力供給部を有する）受信信号処理部１００ｂ（及び送信部ｃ）とをワンチップ化して、スマートフォン等の小型通信機器に実装する
ことも好ましい。一方、後者の場合、
（ｂ）無線ＬＡＮ信号受信部１０３と、固定長取得部１１０、ダミー識別子生成部１１１、ウェイクアップ信号長設定部１１３及びインタフェース制御部１１４とを含むモジュールを、ＬＡＮ側インタフェース１００’を備えたモバイルルータ等の無線ＡＰに装着する又は組み込むことも好ましい。
【００６７】
図３は、本発明の無線通信起動方法における、ダミー接続先識別子を無線端末に登録させる部分の一実施形態を示すシーケンス図である。
【００６８】
ここで、最初に、スマートフォン１のＬＡＮ側インタフェース１００は、起動状態にある。また、無線端末２は、通常の、特別なウェイクアップ信号送信機能等を有していない無線ＬＡＮ通信機器であり、当初、スマートフォン１との通信接続は確立されていない。
【００６９】
（Ｓ３００）スマートフォン１のＬＡＮ側インタフェース１００は、自身のＳＳＩＤ（SSID_A）を含むビーコンを発信する。
（Ｓ３０１）無線端末２の無線通信インタフェース２００は、ビーコンによって報知されたＳＳＩＤから接続先としてのスマートフォン１を認識し、ユーザによる手動でのSSID_Aの登録後、SSID_A及び自身のＭＡＣアドレスを含むプローブ要求を送信する。
【００７０】
（Ｓ３０２、Ｓ３０３）スマートフォン１の固定長取得部１１０は、ＬＡＮ側インタフェース１００によって受信された無線端末２からのプローブ要求を解析し、このプローブ要求におけるＳＳＩＤ（SSID_A）分を除く信号長を、固定長ｗとして取得する。このような固定長の取得は、送信元のＭＡＣアドレス毎に実施され、ＭＡＣアドレス毎に固定長ｗが対応付けられた固定長テーブル１１０ｔが生成されて記憶される。尚、固定長ｗの詳細は、後に図４を用いて説明される。
【００７１】
（Ｓ３０４）ＬＡＮ側インタフェース１００は、プローブ応答（probe response）を送信する。
（Ｓ３０５〜Ｓ３０７）無線通信インタフェース２００とＬＡＮ側インタフェース１００との間で、認証（Authentication）要求・応答のやり取りが行われ、SSID_Aに基づいた無線ＬＡＮ通信接続が確立される。
【００７２】
（Ｓ３１０、Ｓ３１１）無線端末２のブラウザ２１０は、ユーザの操作を受けて、ウェイクアップ信号の生成を可能にするべく、無線通信インタフェース２００に対してダミーＳＳＩＤ登録開始を指示する。これにより、無線通信インタフェース２００は、スマートフォン１宛てにダミーＳＳＩＤ登録開始を要求する。この際、ブラウザ２１０がスマートフォン１のＨＴＴＰサーバ部にウェブアクセスすることによってダミーＳＳＩＤ登録開始を要求することも好ましい。
【００７３】
（Ｓ３１２、Ｓ３１３）ＬＡＮ側インタフェース１００を介してダミーＳＳＩＤ登録開始要求を受け取ったダミー識別子生成部１１１及びウェイクアップ信号長設定部１１３は、１つのランダムな値αを決定し、このランダムな値αに固有となるダミーＳＳＩＤ（ダミープローブ要求フレーム）を生成し、ランダムなウェイクアップ信号長ｔｗを設定する。尚、この設定の際には、予め生成した固定長テーブル１１０ｔから、ダミーＳＳＩＤ登録開始要求の送信元である無線端末２のＭＡＣアドレスに対応付けられた固定長ｗが取得され使用される。ここで、以下、生成されたダミーＳＳＩＤを、
SSID_1，SSID_2，・・・，SSID_Mf  （Ｍｆは生成されたダミーＳＳＩＤの数）
とする。このような本ステップでの処理は、後に図５を用いて詳細に説明される。
【００７４】
（Ｓ３１４）生成されたダミーＳＳＩＤを入力したダミー識別子提示・登録部１１２は、ＨＴＴＰサーバ部によって、ＬＡＮ側インタフェース１００に対し、１つ目のダミーＳＳＩＤであるSSID_1のビーコンによる報知を指示する。
（Ｓ３１５）ＬＡＮ側インタフェース１００は、SSID_1を含むビーコンを発信する。
（Ｓ３１６）ダミー識別子提示・登録部１１２は、ＨＴＴＰサーバ部によって、無線端末２（ブラウザ２１０）宛てに、ダミーのSSID_1の情報を提示してSSID_1の登録を促すウェブページを送信する。
【００７５】
（Ｓ３１７）ブラウザ２１０は、SSID_1情報を提示したウェブページを確認したユーザによってSSID_1が手動操作で入力され登録された後、無線通信インタフェース２００に対し、ダミーのSSID_1を含むプローブ要求の送信を指示する。
（Ｓ３１８）無線通信インタフェース２００は、ダミーのSSID_1を含むプローブ要求を送信する。
（Ｓ３１９）ダミーのSSID_1を含むプローブ要求を受信したＬＡＮ側インタフェース１００は、プローブ応答を送信する。
【００７６】
（Ｓ３２０〜Ｓ３２２）無線通信インタフェース２００とＬＡＮ側インタフェース１００との間で、認証要求・応答のやり取りが行われ、ダミーのSSID_1に基づいた無線ＬＡＮ通信接続が確立される。
（Ｓ３２３、Ｓ３２４）ＬＡＮ側インタフェース１００は、ダミーのSSID_1を含むビーコンの発信を停止し、さらに、ダミー識別子提示・登録部１１２に対し、ダミーのSSID_1の登録完了を通知する。
【００７７】
次いで、以上に説明したダミーのSSID_1についての登録ステップ（Ｓ３１４〜Ｓ３２４）と同様のステップを、残りのSSID_2〜SSID_Mfについても順次実行する。これにより、無線端末２に、生成されたダミーのSSID_1〜SSID_Mfを登録することができる。
【００７８】
（Ｓ３３０）インタフェース制御部１１４は、設置された無通信監視タイマを用いて、ＬＡＮ側インタフェース１００を介したインターネット５へのアクセスのためのデータが、所定時間送受信されていないか（通信不使用か）否かを判定する。
（Ｓ３３１）ステップＳ３３０で真の判定（所定時間通信不使用との判定）がなされた際、ＬＡＮ側インタフェース１００の受信信号処理部１００ｂ（及び送信部１００ｃ）を停止させる。
【００７９】
以上説明したダミーＳＳＩＤの登録方法を実施することによって、上記ステップＳ３３１で停止させられた受信信号処理部１００ｂ（及び送信部１００ｃ）を起動させるためのウェイクアップ信号が、ダミーのSSID_1〜SSID_Mfに係るプローブ要求を含む信号として、無線端末２から送信可能となるのである。次に、無線端末２から送信可能となる、このウェイクアップ信号の詳細を説明する。
【００８０】
図４は、ダミーＳＳＩＤを利用したウェイクアップ信号（プローブ要求群）の一実施形態を示す概略図である。
【００８１】
図４によれば、無線端末２から送信されるウェイクアップ信号は、先頭から、
（ａ）ダミーＳＳＩＤであるSSID_Mfを含むプローブ要求から始まって、ダミーのSSID_(Mf-1)〜SSID_1の各々を含むプローブ要求を順次並べたダミーフレーム列と、
（ｂ）スマートフォン１のＳＳＩＤであるSSID_Aを含むプローブ要求と、
（ｃ）ワイルドカードＳＳＩＤとしてのanyを含むプローブ要求と
が列をなした一連のフレーム群となる。ここで、隣接するフレームの間隔は、ＩＥＥＥ８０２．１１で定義された最短フレーム送信間隔（ＳＩＦＳ（Short InterFrame Space））に設定される。
【００８２】
尚、例えば、無線端末２が、ステップＳ３００（図３）のように、スマートフォン１からSSID_Aを含むビーコンを受信した後、ユーザが、無線端末２のディスプレイ画面に表示された無線ＬＡＮ接続候補リストの中からSSID_Aを選択して登録した場合、ウェイクアップ信号には、上記（ｂ）のSSID_Aを含むプローブ要求が含まれず、上記（ａ）及び（ｃ）のプローブ要求フレーム（列）だけが含まれる。一方、例えば、ユーザが、無線端末２を直接操作してSSID_Aを手動で入力し登録した場合、図４に示すような、上記（ｂ）のSSID_Aのプローブ要求を含むウェイクアップ信号が生成される。このように、無線端末２から発信されるウェイクアップ信号には、SSID_Aを含むプローブ要求が含まれてもよく含まれなくともよい。
【００８３】
いずれにせよ、以上に述べたウェイクアップ信号の信号長であるウェイクアップ信号長ｔｗは、先頭のSSID_Mfを含むプローブ要求のフレーム立ち上がりから、anyを含むプローブ要求のフレーム立ち下がりまでの時間となる。尚、Ｍf＝１の場合、（ａ）のダミーフレーム列は、当然に１つのダミーフレームとなる。
【００８４】
また、プローブ要求の内容を見ると、１つのプローブ要求は、
（ａ）ＰＬＣＰ（Physical Layer Convergence Protocol）プリアンブル、（ｂ）ＰＬＣＰヘッダ、（ｃ）ＭＡＣヘッダ、（ｄ）ＳＳＩＤ、及び（ｅ）Support Rateと、
（ｆ）Extended Support Rate、（ｇ）HT (High Throughput) Capability、（ｈ）DS (Direct Sequence) Parameter Set、（ｉ）Vendor Specific Field、及び（ｊ）ＦＣＳ（Frame Check Sequence）と
から構成される。
【００８５】
ここで、前半の（ａ）〜（ｅ）のうち（ｄ）ＳＳＩＤを除いた部分と、最後の（ｊ）ＦＣＳとは、規格で定められた桁数（byte数）を有しており、その信号長も所定の伝送速度の下で一定値となる。また、後半の（ｆ）〜（ｉ）の部分も、ベンダ固有の情報による部分であり、送信元となる携帯端末２のＯＳ（Operating System）やドライバのバージョンによって桁数が決定される部分である。従って、無線端末２から送信されるプローブ要求の固定長ｗは、プローブ要求のフレーム長から（ｄ）ＳＳＩＤ分を差し引いた、（ａ）〜（ｃ）及び（ｅ）〜（ｉ）の部分となる。
【００８６】
このように、無線端末２から送信されるウェイクアップ信号を構成する各プローブ要求フレームは、固定長ｗ分を内包している。裏返して言えば、ダミーのSSID_1〜SSID_Mfを含むダミープローブ要求フレームの信号長（ダミー総フレーム長ＬMf）は、SSID_1〜SSID_Mfの数（Ｍｆ値）及び各々の桁数を変化させることによって、広範な範囲内における種々の値に設定されることができる。そこで、次に、種々の個数の、且つ各々種々の桁数を有するダミーＳＳＩＤの生成について説明する。
【００８７】
図５は、本発明に係るダミーＳＳＩＤの生成方法、及びダミープローブ要求のダミー総フレーム長ＬMfの算出・設定方法の一実施形態を示すフローチャートである。
【００８８】
図５に示されたフローでは、ｍ個のダミーＳＳＩＤをそれぞれ含むｍ個のプローブ要求全体の信号長であるダミー総フレーム長Ｌｍを、次式
（１）  Ｌｍ（ｎ）＝ｌ１＋ｌ２＋・・・＋ｌｍ＋（ｍ−１）・TSIFS
を用いて算出する。ここで、TSIFSはＳＩＦＳの時間（時間長）であり、例えばＩＥＥＥ８０２．１１ｂでは１０μｓと規定されている。また、ｎは、この後に説明するフローのダミーフレーム生成ループにおけるパラメータである。さらに、ｌｉ（ｉ＝１，２，・・・，ｍ）はｉ番目のダミーＳＳＩＤ（SSID_i）を含むダミープローブ要求のフレーム長であり、次式
（２）  ｌｉ＝ｗ＋ａｘ
（において単位をbyteから時間（秒）に変換したもの）として表される。ここで、ｗはダミープローブ要求のダミーＳＳＩＤ部分を除いた固定長（byte）である。この固定長ｗは、予め生成された固定長テーブル１１０ｔ（図３のＳ３０３）を参照し、ウェイクアップ信号の設定対象である無線端末２のＭＡＣアドレスに対応した値として取得される。
【００８９】
また、ａｘは、ダミーＳＳＩＤの桁数（byte数）を表す数列の要素である。この数列は、例えば、初項ａ１＝２（byte）であって公差ｄ＝５（byte）である等差数列とすることができる。実際、ウェイクアップ信号の受信部（検波部）は、フレーム長解像度を４０μsecとし、伝送レートを１Ｍbpsとすると、ＳＳＩＤにおける５byte（＝１Ｍbps×４０μsec／（８bits／byte））以上の桁数変更を識別可能である。また、ＳＳＩＤのとり得る桁数は２〜３２byteであるから、例えば、ダミーＳＳＩＤの桁数を表す数列として、
｛ａ１，ａ２，・・・，ａ７｝＝｛２，７，１２，１７，２２，２７，３２｝
を設定することができる。
【００９０】
（Ｓ５００）最初に、所定の範囲内においてランダムな自然数αを決定する。尚、この所定の範囲は、例えば、２以上であって２０以下の範囲とすることができる。
（Ｓ５０１）ダミーフレーム数ｍ＝０とし、ダミー総フレーム長Ｌ（０）＝０とする。
（Ｓ５０２）ダミーフレーム生成ループ（Ｓ５０２〜Ｓ５０９）を開始する。ここで、生成パラメータｎの初期値を１として、ｎ値を１ループ終了毎に１だけ増分させ、ｎ＝αのループを実行し終わるまで、ダミーフレーム生成ループを実行する。
【００９１】
（Ｓ５０３）ダミーフレーム数ｍが０よりも大きいか（ｍ＞０であるか）否かを判定する。ここで、ｍが０よりも大きくない（ｍ＝０）場合、ステップＳ５０５に移行する。
（Ｓ５０４）一方、ｍが０よりも大きい（ｍ＞０）場合、（Ｓ５０６又はＳ５０７で生成・変更される）ダミーフレーム１〜ｍにおけるダミーＳＳＩＤの桁数が全て最大値であるか否かを判定する。
【００９２】
（Ｓ５０５）ステップＳ５０４で、真の判定（全て最大値であるとの判定）がなされた際、ｍ値を１だけ増分させ（ｍ＝ｍ＋１）、新しいダミーフレームを１つ生成するものとする。
（Ｓ５０６）ダミーフレームｍが生成されていない場合、桁数が最小値であるダミーＳＳＩＤを有するダミーフレームｍを生成する。また、ダミーフレーム１〜ｍにおけるダミーＳＳＩＤの桁数を全て最小値化する。即ち、ダミーフレームｉ（ｉ＝１，２，・・・，ｍ）のフレーム長ｌｉを、ｌｉ＝ｗ＋ａ１とする。
【００９３】
（Ｓ５０７）一方、ステップＳ５０４で偽の判定がなされた際、ダミーフレーム１〜ｍのうちいずれか１つのＳＳＩＤの桁数を公差ｄだけ増加させる。ここで、いずれのダミーフレームにおいてどのように（如何なる文字を用いて）ＳＳＩＤの桁数を公差ｄだけ増加させるかは任意である。即ち、確かに、各ダミーフレーム及びダミーＳＳＩＤは、無線端末２に実際に登録させる必要があるため、具体的に決定されなければならない。しかしながら、設定されるウェイクアップ信号として必要なことは、ウェイクアップ信号長ｔｗが如何なる値をとるかであり、ウェイクアップ信号長ｔｗが同一となる設定ならば、どのダミーフレームのＳＳＩＤ桁数を変更するのか、及び各ダミーＳＳＩＤにおいて如何なる具体的な値（文字）を設定するのか、は任意でよい。
【００９４】
（Ｓ５０８）この時点（生成パラメータがｎの時点）でのダミー総フレーム長Ｌ（ｎ）（＝Ｌｍ（ｎ））が、１つ前のループ時点（生成パラメータが（ｎ−１）の時点）又はＬ（ｎ）＝Ｌ（０）である時点でのダミー総フレーム長Ｌ（ｎ−１）以下であるか（Ｌ（ｎ）≦Ｌ（ｎ−１）であるか）否かを判定する。ここで、真の判定（Ｌ（ｎ）がＬ（ｎ−１）以下であるとの判定）がなされた際、ダミー総フレーム長を変更（増加）させるべく、ステップＳ５０４に戻る。
【００９５】
（Ｓ５０９）一方、ステップＳ５０８で偽の判定（Ｌ（ｎ）がＬ（ｎ−１）よりも大きいとの判定）がなされた際、ｎ＜αならばステップＳ５０３に戻ってダミーフレーム生成ループを続行する。また、ｎ＝αならば、
（ａ）この時点でのｍを最終的なダミーフレーム数Ｍｆとし、
（ｂ）この時点での各ダミーＳＳＩＤ（の桁数）を最終的に生成されたダミーＳＳＩＤ（の桁数）とし、
決定されたαに対するダミー総フレーム長Ｌｍｆ（＝Ｌｍ（ｎ））が取得されたとして、本フローを終了する。
【００９６】
以上説明した方法により、所定の範囲内においてランダムに選択されたα値１つに対し、１つのダミー総フレーム長ＬMf、従って１つのウェイクアップ信号長ｔｗ、が決定される。ここで、ｔｗは、
ｔｗ＝ＬMf＋（SSID_Aを含むプローブ要求のフレーム長）
＋（anyを含むプローブ要求のフレーム長）＋２・ＴSIFS、又は
ｔｗ＝ＬMf＋（anyを含むプローブ要求のフレーム長）＋ＴSIFS
として算出される。
【００９７】
また、α値がより大きな値であるほど、ウェイクアップ信号長ｔｗ（ダミー総フレーム長ＬMf）もより大きな値となるように決定される。このように、上述したフローによって、種々のランダムな値をとるウェイクアップ信号長ｔｗを設定することが可能となる。尚、設定されるウェイクアップ信号長ｔｗの自由度は、α値を決定する所定の範囲の上限値を大きくするほど大きくなる。
【００９８】
尚、ダミーＳＳＩＤの生成及びダミー総フレーム長ＬMfの算出・設定は、上述した方法に限定されるものではない。例えば、予め、種々のダミー総フレーム長ＬMfを示すダミーフレーム（ダミーＳＳＩＤ）の組を複数形成しておき、その中からランダムに１つの組を選択することも可能である。
【００９９】
図６は、本発明による無線通信起動方法の一実施形態を実施した場合におけるウェイクアップ誤作動率の算出例を示すグラフである。
【０１００】
本実施例では、図５に示した方法を用いてウェイクアップ信号を設定した対象ユーザの無線端末とは別に、他のユーザの（複数の）無線端末においても、図５に示した方法を用いてダミーＳＳＩＤ（ダミーフレーム）を生成した。ここで、ダミーフレームは、ダミーフレーム数の最大値（自然数αのとり得る最大値）が、全ての無線端末において同一となる条件で生成された。また、これら他のユーザの無線端末は対象ユーザの無線端末と同一機種であるとし、従って固定長ｗは送信される全てのプローブ要求において同一であるとした。さらに、これら他のユーザの無線端末はいずれも、無線ＡＰ（スマートフォン又はモバイルルータ）のＳＳＩＤ（と同一の桁数を有するＳＳＩＤ）を含むプローブ要求を発信するものとした。従って、これら他のユーザの無線端末からの信号を受信して無線ＡＰのＬＡＮ側インタフェースが起動する場合を、ウェイクアップ誤作動とし、受信した信号数当たりのウェイクアップ誤作動の回数を、ウェイクアップ誤作動率（％）としている。
【０１０１】
最初に、比較例として、ダミーＳＳＩＤを利用しない場合を考察する。この場合、従来のプローブ要求フレームのみが無線端末から発信され、また、含まれるＳＳＩＤの桁数は無線ＡＰのＳＳＩＤの桁数と同一であるので、複数の無線端末から発信されるプローブ要求の総フレーム長は全て一致する。従って、無線ＡＰにおいて、この総フレーム長を起動条件として設定している場合、１００％誤作動することになる。
【０１０２】
これに対し、本発明に係るダミーＳＳＩＤを利用した場合、図６のグラフに示すように、ダミー（プローブ要求）フレームの数Ｍｆを大きくするほど、ウェイクアップ誤作動率はより大幅に低下する。また、固定長ｗが大きいほど、ウェイクアップ誤作動率はより低減する。これは、ｗが小さい場合、ダミーフレーム数Ｍｆを増加させたとしても、ダミーＳＳＩＤの桁数が小さい間におけるダミー総フレーム長が、ダミーフレーム数Ｍｆを増加させる前のダミー総フレーム長と重複する場合が増え、結果として、ウェイクアップ信号長ｔｗにおける異なる値の種類が減少するためである。
【０１０３】
同じく図６のグラフによれば、ダミーフレームを１つ用いた場合（Ｍｆ＝１）、含まれるダミーＳＳＩＤの桁数は上記ａ１からａ７までの７通り存在するので、ウェイクアップ信号長ｔｗの自由度は７となる。その結果、ウェイクアップ誤作動率は、約１４.３％にまで低減する。このウェイクアップ誤作動率を１％未満に抑制するためには、固定長ｗ＝５０（byte）の場合、ダミーフレーム数Ｍｆを７以上とすればよく、固定長ｗ＝２００（byte）の場合、ダミーフレーム数Ｍｆを６以上とすればよいことが分かる。
【０１０４】
このように、ウェイクアップ信号に本発明に係るダミーＳＳＩＤを利用することによって、無線ＡＰのウェイクアップ誤作動率を、格段に低減させることができる。
【０１０５】
以上、詳細に説明したように、本発明によれば、ウェイクアップ信号として、無線ＡＰが生成した少なくとも１つのダミー接続先識別子を含む少なくとも１つの接続問い合わせ要求信号を含む信号を採用する。その結果、このウェイクアップ信号の信号長であるウェイクアップ信号長ｔｗは、非常に多くの値をとり得る。これにより、無線ＡＰのウェイクアップ信号待ち受け状態において、待ち受けている信号長と同一の信号長を有しているがこの無線ＡＰとの通信接続を要求するものではない信号によって、誤って無線ＡＰが起動してしまう確率を十分に小さくすることができる。また、それ故に、ウェイクアップ信号による不要な通信機能の起動が十分に抑制可能となる。さらに、その結果、無線ＡＰの不要な電力消費を抑制することができる。
【０１０６】
以上に述べた本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【０１０７】
１  スマートフォン（無線アクセスポイント）
１’  モバイルルータ（無線アクセスポイント）
１００、１００’  ＬＡＮ側インタフェース（無線インタフェース）
１００ａ、１００ａ’  検波部
１００ｂ、１００ｂ’  受信信号処理部
１００ｃ、１００ｃ’  送信部
１０１  ＷＡＮ側インタフェース
１０２  表示部
１０３  無線ＬＡＮ信号受信部（無線ネットワーク信号受信部）
１１０  固定長取得部
１１１  ダミー識別子生成部
１１２  ダミー識別子提示・登録部
１１３  ウェイクアップ信号長設定部
１１４  インタフェース制御部
１２０  通信制御部
２  無線端末
３  無線ネットワーク
４  アクセスネットワーク
５  インターネット
【図１】
2014135638.tif 000003
【図２】
2014135638.tif 000004
【図３】
2014135638.tif 000005
【図４】
2014135638.tif 000006
【図５】
2014135638.tif 000007
【図６】
2014135638.tif 000008